(57)【要約】      （修正有）【課題】検知区域調整可能なマイクロ波センシングＬＥＤ灯管を提供する。【解決手段】ＬＥＤ灯１０と、ＬＥＤ灯に電気的に接続しており、ＬＥＤ灯管の内部又は外部に設置されるマイクロ波リモートセンサ１２と、ＬＥＤ灯の取り付けに供する灯座と、を備えてなる検知区域調整可能なマイクロ波センシングＬＥＤ灯管であり、マイクロ波リモートセンサは、センシング範囲を検知するセンシングモジュール１２２と制御モジュール１２０を含み、感度を調整することにより距離をセンシングする。整体のセンシング角度は広く、センシング距離は長くなり、ガラス、薄い木板或いは異なる厚さの壁を通り抜けることができる。環境、温度及びほこりなどによる影響を受けることなく、温度が高い場合にもセンシング距離が変わらない。【選択図】図３
0003213520.tif 000002
【実用新案登録請求の範囲】
【請求項１】
ＬＥＤ灯と、
前記ＬＥＤ灯に電気的に接続しており、感度を調整することにより距離をセンシングするマイクロ波リモートセンサと、
前記ＬＥＤ灯の取り付けに供する灯座と、を備えてなることを特徴とする検知区域調整可能なマイクロ波センシングＬＥＤ灯管。
【請求項２】
前記マイクロ波リモートセンサに電気的に接続しており、センシング範囲を検知するセンシングモジュールをさらに含む、ことを特徴とする請求項１に記載の検知区域調整可能なマイクロ波センシングＬＥＤ灯管。
【請求項３】
前記センシングモジュール及び前記ＬＥＤ灯に電気的に接続している制御モジュールをさらに含む、ことを特徴とする請求項２に記載の検知区域調整可能なマイクロ波センシングＬＥＤ灯管。
【請求項４】
前記ＬＥＤ灯は、
ベースと、
前記ベースに設置される少なくとも一つの発光ダイオード灯列と、
前記発光ダイオード灯列に電気的に接続しており、且つ前記灯座に電気的に接続している二つの電極と、を含み、
前記発光ダイオード灯列は、前記マイクロ波リモートセンサに電気的に接続している、ことを特徴とする請求項１に記載の検知区域調整可能なマイクロ波センシングＬＥＤ灯管。
【請求項５】
前記マイクロ波リモートセンサはＬＥＤ灯管の内部に設置される、ことを特徴とする請求項１に記載の検知区域調整可能なマイクロ波センシングＬＥＤ灯管。
【請求項６】
前記マイクロ波リモートセンサはＬＥＤ灯管の外部に設置される、ことを特徴とする請求項１に記載の検知区域調整可能なマイクロ波センシングＬＥＤ灯管。
【考案の詳細な説明】
【技術分野】
【０００１】
本考案は、ＬＥＤ灯管に関し、特に検知区域調整可能なマイクロ波センシングＬＥＤ灯管に関する。
【背景技術】
【０００２】
発光ダイオード（Ｌｉｇｈｔ−ｅｍｉｔｔｉｎｇ  Ｄｉｏｄｅ，ＬＥＤ）光源は、伝統の光源（例えば白熱灯）に比べて、省エネルギー、高効率、長い使用寿命、低い維持コスト、安定でさまざまな色、などの利点を有している。さらに、無遅延な点灯、速い反応時間、地震に耐える性能、及び高い発光純度、などの利点も有しているので、現代の照明技術の領域に広く使用されており、各種の場合でも用いられ、よりはやいスピードで発展してゆく。
【０００３】
自動化の要求を満足するために、従来は、ＬＥＤ赤外線センシングライトが現れてきた。ＬＥＤ赤外線センシングライトは、一体式と分体式に分かれる。一体式のＬＥＤ赤外線センシングライトは、センシングするように、灯体からセンシングヘッドが突き出さなければならないので、灯の笠に孔を開ける必要があり、マッチングの問題があるだけでなく、笠の美観を破壊し、相当のスペースが必要となる。なお、灯体自身が発熱するので、センシングの精度に悪影響も与えることがある。ＬＥＤ灯は誤操作で点灯がする状態になり、コストあげるおそれがある。一方、分体式のＬＥＤ赤外線センシングライトは、センシングヘッドを連れるスイッチを、ＬＥＤ灯と離間して設置するものであるので、マッチング及び誤操作の問題を解決できるが、製造コストもかかり、取り付けを行う際に面倒でもある。
【０００４】
その上、ＬＥＤ赤外線センシングライトは、赤外線センシング範囲は最大値が１２０度となり、死角があり、センシング距離が近くなるので、ＬＥＤ赤外線センシングライトとの間に障害物を置くと、センシングの感度が下げり、環境の温度による影響もかなり受ける問題がある。
【０００５】
よって、考案者にとって、上記の従来構成の問題点を改善し、さらに産業上実施できることを増進するために、新たなＬＥＤ灯管を開発する必要がある。
【０００６】
従来のＬＥＤ照明装置を開示する文献として下記の特許文献１がある。特許文献１に開示のＬＥＤ照明装置は、駆動パルスに応じたスイッチング動作によって整流電圧を直流電圧に変換して出力する変換器と、外部の制御信号および変換器の電流の量に応じてパルス幅が可変する駆動パルスを生成し、変換器のスイッチング動作のために提供する電流レギュレータと、変換器の電圧を受けて発光するＬＥＤ照明灯と、変換器の電圧を受けて動作し、ＬＥＤ照明灯のディミングを制御する制御信号を提供する周辺回路モジュールとを備える。
【０００７】
しかしながら、特許文献１に開示のＬＥＤ照明装置は、センシングの範囲を調整することができるものではない。このため、ＬＥＤ赤外線センシングライトとスイッチとの間に障害物を置くと、センシングの感度が下がるという問題があった。
【先行技術文献】
【特許文献】
【０００８】
【特許文献１】特開２０１４−１１０２４４号公報
【考案の概要】
【考案が解決しようとする課題】
【０００９】
本考案は上記の問題点に鑑みてなされたものであり、その目的は、従来技術の欠点を改善するために、新規性、進歩性及び実用性などの要件を具する検知区域調整可能なマイクロ波センシングＬＥＤ灯管を提供するものである。
【課題を解決するための手段】
【００１０】
上記の目的を達するために、本考案に採用した技術的手段によれば、ＬＥＤ灯と、前記ＬＥＤ灯に電気的に接続しており、感度を調整することにより距離をセンシングするマイクロ波リモートセンサと、前記ＬＥＤ灯の取り付けに供する灯座と、を備えてなることを特徴とする検知区域調整可能なマイクロ波センシングＬＥＤ灯管である。
【００１１】
好ましく、前記検知区域調整可能なマイクロ波センシングＬＥＤ灯管は、前記マイクロ波リモートセンサに電気的に接続しており、センシング範囲を検知するセンシングモジュールをさらに含む。
【００１２】
好ましく、前記検知区域調整可能なマイクロ波センシングＬＥＤ灯管は、前記センシングモジュール及び前記ＬＥＤ灯に電気的に接続している制御モジュールをさらに含む。
【００１３】
好ましく、前記ＬＥＤ灯は、ベースと、前記ベースに設置される少なくとも一つの発光ダイオード灯列と、前記発光ダイオード灯列に電気的に接続しており、且つ前記灯座に電気的に接続している二つの電極と、を含み、前記発光ダイオード灯列は、前記マイクロ波リモートセンサに電気的に接続している。
【００１４】
好ましく、前記マイクロ波リモートセンサはＬＥＤ灯管の内部に設置される。
【００１５】
好ましく、前記マイクロ波リモートセンサはＬＥＤ灯管の外部に設置される。
【考案の効果】
【００１６】
本考案は、マイクロ波リモートセンサにより感度を調整することにより距離をセンシングするものであり、整体のセンシング角度はもっと広くなる。センシング距離はもっと長くなり、ガラス、薄い木板或いは異なる厚さの壁を通り抜けることができる。環境、温度及びほこりなどによる影響を受けることなく、温度が高い場合に、センシング距離が変えない。
【００１７】
上記の目的、技術的特徴、及び実施した後の利点をより明らかにするために、以下、本考案に係る好ましい実施形態について、図面を参照しながら詳細的に説明する。なお、本考案に開示した内容、登録請求の範囲及び図式により、当業者は本考案の係る目的及び利点を容易に理解することができる。
【図面の簡単な説明】
【００１８】
【図１】本考案のマイクロ波センシングＬＥＤ灯管の外観を示す斜視図である。
【図２】本考案のマイクロ波センシングＬＥＤ灯管を示す分解斜視図である。
【図３】本考案の、マイクロ波リモートセンサがＬＥＤ灯管内に設置されることを示す斜視図である。
【図４】本考案の、マイクロ波リモートセンサがＬＥＤ灯管外に設置されることを示す斜視図である。
【考案を実施するための形態】
【００１９】
本考案のメリット、特徴および実施形態は、例示的な実施例および図面の参照により詳しく説明されて容易に理解できるが、本考案は異なる形態で實現されてもよく、かつここに記載されている実施例に限られると解釈されるべきではない。その一方で、本考案の属する技術分野における技術者にとって、提供される実施例により、本考案はよりはっきりと開示され、本考案のカテゴリは全面的にかつ完全に伝わる。また、本考案は添付した特許請求の範囲のみにより定義される。図面において、構成部分や構成要素などの寸法および相対寸法は、はっきりでわかりやすくなるように拡大表示される。全明細書において、同一の構成要素の符号は同一の組立品を指している。後ろの文に使用される用語「及び/又は」については、いずれの及び全ての或いは複数の係る対象の組合を意味する。
【００２０】
他の定義でなければ、後ろの文に使用されるすべての用語(科学・技術の術語を含む)は、本考案の属する技術分野における技術者の通常理解する意味と同一の意味を有している。また、例えば通常使用され辞書により定義されるそれらの用語が、関連分野における内容に一致する意味を有すると解釈されるべきであり、かつ後ろの文においてそれらの用語に他の定義がなければ、それらの用語は通常の意味により理解される。
【００２１】
以下、図面に合わせて例示的な実施例を詳しく述べるが、それらの実施例は異なる形式に含まれてもよく、かつ本考案の特許請求の範囲を限定すべきではない。それらの実施例により本考案が完全かつ明瞭に開示され、当該技術を熟知する者はそれらの実施例を介して本考案のカテゴリを理解することができる。
【００２２】
図１及び図２を参照し、それらが、本考案のマイクロ波センシングＬＥＤ灯管の外観を示す斜視図、及び、本考案のマイクロ波センシングＬＥＤ灯管を示す分解斜視図である。本考案は、検知区域調整可能なマイクロ波センシングＬＥＤ灯管であり、マイクロ波センシングＬＥＤ灯管１は、主にＬＥＤ灯１０と、マイクロ波リモートセンサ１２と、灯座１４とを備えてなる。ＬＥＤ灯１０は灯座１４に取り付けられ、マイクロ波リモートセンサ１２はＬＥＤ灯１０の内部又は外部に設置される。マイクロ波リモートセンサ１２はＬＥＤ灯１０に電気的に接続している。マイクロ波リモートセンサ１２は、感度を調整することによりセンシング距離を判断し、ＬＥＤ灯１０の明るさを調整する。本考案について、マイクロ波リモートセンサ１２により、整体のセンシング角度はもっと広くなる。センシング距離はもっと長くなり、ガラス、薄い木板或いは異なる厚さの壁を通り抜けることができる。環境、温度及びほこりなどによる影響を受けることなく、温度が高い場合に、センシング距離が変えない。
【００２３】
さらに、マイクロ波リモートセンサ１２には、制御モジュール１２０と、センシングモジュール１２２とが電気的に接続している。制御モジュール１２０が、センシングモジュール１２２及びＬＥＤ灯１０に電気的に接続することにより、センシングモジュール１２２がセンシングした信号を受信し、且つＬＥＤ灯１０の発光ダイオード灯列１０２を点灯させるだけでなく、センシング距離も調整することができる。センシングモジュール１２２は、センシング範囲を検知できる。
【００２４】
ＬＥＤ灯１０は、ベース１０１と、ベース１０１に設置される発光ダイオード灯列１０２と、発光ダイオード灯列１０２に電気的に接続しており、且つ灯座１４に電気的に接続している電極１０３とを含んでなる。発光ダイオード灯列１０２は、マイクロ波リモートセンサ１２に電気的に接続している。
【００２５】
図３及び図４を参照し、それらが、本考案の、マイクロ波リモートセンサがＬＥＤ灯管内に設置されることを示す斜視図、及び、本考案の、マイクロ波リモートセンサがＬＥＤ灯管外に設置されることを示す斜視図である。図３において、ＬＥＤ灯１０内に設置されるマイクロ波リモートセンサ１２は、主に制御モジュール１２０及びセンシングモジュール１２２を含む。センシングモジュール１２２は、人がセンシング範囲内に入ることをセンシングすると、センシングした信号が制御モジュール１２０に伝送され、ＬＥＤ灯１０の発光ダイオード灯列１０２は制御モジュール１２０により点灯する。人がセンシング範囲を出ると、ＬＥＤ灯１０は自動的に消灯する。なお、センシングモジュール１２２は、昼と夜を自動的に識別することができる。本考案は、マイクロ波リモートセンサ１２に電気的に接続している制御モジュール１２０は、センシング距離を調整することができる。マイクロ波リモートセンサ１２を用いることで、センシング角度はもっと広くなり、センシング距離はもっと長くなり、ガラス、薄い木板或いは異なる厚さの壁を通り抜けることができる。環境、温度及びほこりなどによる影響を受けることなく、温度が高い場合に、センシング距離が変えない。
【００２６】
図４から見ると、マイクロ波リモートセンサ１２はＬＥＤ灯１０の外部に設置され、灯座１４に固定されることが分かる。そのセンシング作動は、マイクロ波リモートセンサ１２がＬＥＤ灯１０の内部に設置されるのと同じであるので、説明は省略する。ＬＥＤ灯１０の外部に設置されるマイクロ波リモートセンサ１２を取り替える必要があると、壊れないＬＥＤ灯１０を取り替えることなく、便利で資源を無駄にすることもない。
【００２７】
以上、本考案者によってなされた考案を実施の形態に基づき具体的に説明したが、本考案は前記の実施の形態に限定されるものではなく、その要旨を逸脱しない範囲で種々変更が可能であることは言うまでもない。
【００２８】
上記結果から、本考案は、従来の技術を突破する上、増進しようとする効果に確実に達し、且つそれが具する進歩性及び実用性などの要件が、当業者に容易に想到されるものではない。
【符号の説明】
【００２９】
１                マイクロ波センシングＬＥＤ灯管
１０              ＬＥＤ灯
１０１            ベース
１０２            発光ダイオード灯列
１０３            電極
１２              マイクロ波リモートセンサ
１２０            制御モジュール
１２２            センシングモジュール
１４              灯座
【図１】
0003213520.tif 000003
【図２】
0003213520.tif 000004
【図３】
0003213520.tif 000005
【図４】
0003213520.tif 000006